(57)【要約】【課題】本発明は、極めて商品価値の高い画期的な歩行動物若しくは鳥類の侵入防止装置を提供することを目的とする。【解決手段】田畑などの対象領域30に対する歩行動物若しくは鳥類の侵入を防止するための装置であって、前記対象領域30を囲繞する状態で設けられる柵状部１と、この柵状部１の上縁から上方へ距離Ｓを介した上方位置に該柵状部１の上縁に沿って張設される線状部２とを有し、この線状部２には下側に針先３ｂ’を有する針部３が垂設されたものである。【選択図】図１
2016123413.tif 000002
【特許請求の範囲】
【請求項１】
田畑などの対象領域に対する歩行動物若しくは鳥類の侵入を防止するための装置であって、前記対象領域を囲繞する状態で設けられる柵状部と、この柵状部の上縁から上方へ距離を介した上方位置に該柵状部の上縁に沿って張設される線状部とを有し、この線状部には下側に針先を有する針部が垂設されていることを特徴とする歩行動物若しくは鳥類の侵入防止装置。
【請求項２】
請求項１記載の歩行動物若しくは鳥類の侵入防止装置において、前記柵状部は、支柱部材と、この支柱部材間に設けられる板状部材とで構成されていることを特徴とする歩行動物若しくは鳥類の侵入防止装置。
【請求項３】
請求項２記載の歩行動物若しくは鳥類の侵入防止装置において、前記支柱部材には前記板状部材を連結する第一連結部が設けられ、この第一連結部の上方位置に前記線状部を連結する第二連結部が設けられていることを特徴とする歩行動物若しくは鳥類の侵入防止装置。
【請求項４】
請求項１〜３いずれか１項に記載の歩行動物若しくは鳥類の侵入防止装置において、前記針部は、前記線状部の所定位置に間隔を介して複数設けられていることを特徴とする歩行動物若しくは鳥類の侵入防止装置。
【請求項５】
請求項１〜４いずれか１項に記載の歩行動物若しくは鳥類の侵入防止装置において、前記針部は、前記線状部から垂設される垂設部材と、この垂設部材の下側に設けられ該垂設部材から放射方向に突設する複数の針部材とで構成されていることを特徴とする歩行動物若しくは鳥類の侵入防止装置。
【請求項６】
請求項１〜５いずれか１項に記載の歩行動物若しくは鳥類の侵入防止装置において、前記柵状部の高さは８０ｃｍ程度に設定されていることを特徴とする歩行動物若しくは鳥類の侵入防止装置。
【請求項７】
請求項１〜６いずれか１項に記載の歩行動物若しくは鳥類の侵入防止装置において、前記柵状部と前記線状部との距離は１５ｃｍ程度に設定されていることを特徴とする歩行動物若しくは鳥類の侵入防止装置。
【発明の詳細な説明】
【技術分野】
【０００１】
本発明は、歩行動物若しくは鳥類の侵入防止装置に関するものである。
【背景技術】
【０００２】
従来から、例えば田畑の農作物を食い荒らす鳥や獣などの有害鳥獣への対策として、例えば実用新案登録第３００８１８７号、実用新案登録第３０１１３１５号などのように、太陽光を反射したり、風を受けて揺動することで、有害鳥獣を威嚇して追い払う装置（以下、従来例）が種々提案されている。
【０００３】
しかしながら、従来例は、いずれも鳥や獣は直ぐに慣れてしまい威嚇効果が続かず、よって、有害鳥獣による農作物の被害は後を絶たない。
【先行技術文献】
【特許文献】
【０００４】
【特許文献１】実用新案登録第３００８１８７号公報
【特許文献２】実用新案登録第３０１１３１５号公報
【発明の概要】
【発明が解決しようとする課題】
【０００５】
本発明は、前述した問題点を解消する、極めて商品価値の高い画期的な歩行動物若しくは鳥類の侵入防止装置を提供する。
【課題を解決するための手段】
【０００６】
添付図面を参照して本発明の要旨を説明する。
【０００７】
田畑などの対象領域30に対する歩行動物若しくは鳥類の侵入を防止するための装置であって、前記対象領域30を囲繞する状態で設けられる柵状部１と、この柵状部１の上縁から上方へ距離Ｓを介した上方位置に該柵状部１の上縁に沿って張設される線状部２とを有し、この線状部２には下側に針先３ｂ’を有する針部３が垂設されていることを特徴とする歩行動物若しくは鳥類の侵入防止装置に係るものである。
【０００８】
また、請求項１記載の歩行動物若しくは鳥類の侵入防止装置において、前記柵状部１は、支柱部材４と、この支柱部材４間に設けられる板状部材５とで構成されていることを特徴とする歩行動物若しくは鳥類の侵入防止装置に係るものである。
【０００９】
また、請求項２記載の歩行動物若しくは鳥類の侵入防止装置において、前記支柱部材４には前記板状部材５を連結する第一連結部６が設けられ、この第一連結部６の上方位置に前記線状部２を連結する第二連結部７が設けられていることを特徴とする歩行動物若しくは鳥類の侵入防止装置に係るものである。
【００１０】
また、請求項１〜３いずれか１項に記載の歩行動物若しくは鳥類の侵入防止装置において、前記針部３は、前記線状部２の所定位置に間隔を介して複数設けられていることを特徴とする歩行動物若しくは鳥類の侵入防止装置に係るものである。
【００１１】
また、請求項１〜４いずれか１項に記載の歩行動物若しくは鳥類の侵入防止装置において、前記針部３は、前記線状部２から垂設される垂設部材３ａと、この垂設部材３ａの下側に設けられ該垂設部材３ａから放射方向に突設する複数の針部材３ｂとで構成されていることを特徴とする歩行動物若しくは鳥類の侵入防止装置に係るものである。
【００１２】
また、請求項１〜５いずれか１項に記載の歩行動物若しくは鳥類の侵入防止装置において、前記柵状部１の高さは８０ｃｍ程度に設定されていることを特徴とする歩行動物若しくは鳥類の侵入防止装置に係るものである。
【００１３】
また、請求項１〜６いずれか１項に記載の歩行動物若しくは鳥類の侵入防止装置において、前記柵状部１と前記線状部２との距離Ｓは１５ｃｍ程度に設定されていることを特徴とする歩行動物若しくは鳥類の侵入防止装置に係るものである。
【発明の効果】
【００１４】
本発明は上述のように構成したから、歩行動物若しくは鳥類における対象領域への侵入を防止することができるなど、極めて商品価値の高い画期的な歩行動物若しくは鳥類の侵入防止装置となる。
【図面の簡単な説明】
【００１５】
【図１】実施例１の使用状態説明図である。
【図２】実施例１の要部の説明図である。
【図３】実施例１の要部の説明図である。
【図４】実施例２の使用状態説明図である。
【図５】実施例２の要部の説明図である。
【発明を実施するための形態】
【００１６】
好適と考える本発明の実施形態を、図面に基づいて本発明の作用を示して簡単に説明する。
【００１７】
田畑などの対象領域30を柵状部１で囲繞し、この柵状部１の上縁から距離Ｓを介した上方位置に、下側に針先３ｂ’を有する針部３が垂設された線状部２を該柵状部１の上縁に沿って張設すると、この対象領域30には歩行動物若しくは鳥類が侵入しない。
【００１８】
本発明者は、実際に歩行動物若しくは鳥類が農作物を食い荒らす被害に遭っていた場所に、本発明に係る対象領域30を設け、この対象領域30に歩行動物若しくは鳥類が侵入するか否かを監視カメラで確認したところ、柵状部１の近くまで歩行動物（ハクビシンやタヌキなど）は近付いてくるが、柵状部１を飛び越えたり、倒そうとしたりせず（柵状部１に触れることさえしない。）、対象領域30には侵入しなかった。また、柵状部１の上部は特に閉塞されず開放状態であるが、鳥類（カラスなど）も対象領域30に侵入することはなかった。
【００１９】
これは、対象領域30が柵状部１で囲繞されていることに加え、この柵状部１の上方位置に張設される線状部２及び該線状部２に垂設された針部３を警戒したからと推測される。
【００２０】
即ち、柵状部１の高さがそれ程高くなくても、柵状部１の上方に針先３ｂ’が目立つように存在する為、対象領域30への侵入を躊躇するものと思われる。これは、動物が先細りの針状のものを嫌う習性があると推測する。
【実施例１】
【００２１】
本発明の具体的な実施例について図１〜３に基づいて説明する。
【００２２】
本実施例は、田畑などの対象領域30に対する農業被害を与える有害鳥獣（歩行動物若しくは鳥類）の侵入を防止するための装置であって、対象領域30を囲繞する状態で設けられる柵状部１と、この柵状部１の上縁から上方へ距離Ｓを介した上方位置に該柵状部１の上縁に沿って張設される線状部２とを有し、この線状部２には下側に針先３ｂ’を有する針部３が垂設されたものである。
【００２３】
具体的には、柵状部１は、複数の支柱部材４と、この支柱部材４を介して立設される板状部材５とで構成されている。
【００２４】
支柱部材４は、図１〜３に図示したように適宜な合成樹脂製の部材で一体成形した横断面Ｔ字状の棒状体であり、下部には先細り部４ａが設けられている。
【００２５】
従って、支柱部材４は、先細り部４ａを地面に挿して立設することができ、先細り部４ａを地面に挿した際、その断面形状故に回り止め状態で立設される。尚、支柱部材４は金属製でも良い。
【００２６】
また、支柱部材４の上部には板状部材５を連結する第一連結部６が設けられている。
【００２７】
この第一連結部６は、横断面Ｔ字状の支柱部材４の平坦面から下方へ向けて凸状に設けられ、立設状態とした板状部材５の上端部に被嵌係止することで連結するように構成されている。
【００２８】
従って、この支柱部材４を介して板状部材５は立設状態で支持されることになる。
【００２９】
また、支柱部材４の上部にして第一連結部６よりも上方位置には線状部２を連結する第二連結部７が設けられている。
【００３０】
この第二連結部７は、図１〜３に図示したように支柱部材４の上部に延設される棒状部４ａの上端部を環状に設けて構成され、この環状の第二連結部７に線状部２を通して連結するように構成されている。
【００３１】
従って、線状部２は間隔を介して並設される複数の支柱部材４の上部間に架設状態に張設されることになる。
【００３２】
また、本実施例では、第一連結部６と第二連結部７との間隔を１５ｃｍに設定しており、よって、柵状部１と線状部２との距離Ｓは１５ｃｍ程度となる。
【００３３】
尚、本実施例では、第一連結部６及び第二連結部７はいずれも支柱部材４に一体に成形されているが、別構造としても良い。
【００３４】
板状部材５は、図１，３に図示したように光透過性を有する透明樹脂製の波板材で構成されており、本実施例では、縦長が８０ｃｍ、横長が２０ｍに設定され、前述した複数の支柱部材４を介して立設状態として対象領域30を壁のように囲繞するように設けられる。
【００３５】
従って、柵状部１は、高さが約８０ｃｍ程度であり、これは対象領域30への有害鳥獣の侵入を防止する高さと、農作業者が跨いで出入りできる高さを考慮して設定されている。
【００３６】
また、板状部材５は光透過性を有する為、農作物の育成に必要な光を遮断することがない。
【００３７】
尚、本実施例では柵状部１は、一枚の板状体４を対象領域30に環状に設けて構成しているが、複数枚の板状体４を対象領域30の周囲に環状に並設して構成しても良い。
【００３８】
線状部２は、図１〜３に図示したように適宜な金属製の線材（ステンレスワイヤー）で構成されており、この線状部２の所定位置に複数の針部３が所定間隔（約２０ｃｍ間隔）を介して揺動自在に垂設されている。
【００３９】
この針部３は、図３に図示したように適宜な金属製の部材（ステンレス製）で形成されたものであり、線状部２から垂設される垂設部材３ａと、この垂設部材３ａの下側に設けられ、該垂設部材３ａから放射方向に水平状態で突設する複数（２本）の湾曲状の針部材３ｂとで構成されている。この針部材３ｂは同形状に形成され、互いに針先３ｂ’が逆方向を向くように垂設部材３ａに設けられている。
【００４０】
この針部材３ｂの針先３ｂ’を丸みを帯びた非鋭利形状としているが、これは本実施例が有害鳥獣を傷つけることを目的とせず、且つ、使用者が怪我することを防止する為である。
【００４１】
また、線状部２の両端部には互いに着脱自在に連結する連結部８（カラビナ）が設けられている。
【００４２】
従って、環状とした線状部２の両端部同士をこの連結部８を介して連結することができる。
【００４３】
以上の構成から成る本実施例に係る行動物若しくは鳥類の侵入防止装置の設置方法について説明する。尚、本実施例では対象領域30として畑を採用しているが、有害鳥獣の対策を要する水田や養鯉池でも良い。
【００４４】
対象領域30の周囲に柵状部１を設ける。
【００４５】
具体的には、板状部材５の一端部を立設状態として一の支柱部材４の第一連結部６を板状部材５に被嵌させるとともに、該一の支柱部材４を地面に挿して立設して板状部材５は立設状態が支持され、続いて、この一の支柱部材４を介して立設状態とした位置から所定間隔の位置に他の支柱部材４の第一連結部６を板状部材５に被嵌させるとともに、該他の支柱部材４を地面に挿して立設して板状部材５は立設状態が支持され、それ以降、同様に支柱部材４を介して板状部材５を環状に配しながら立設状態とする。
【００４６】
続いて、地面に立設した各支柱部材４の第二連結部７に線状部２を通して架設状態にすると、線状部２が柵状部１の上縁から距離Ｓを介した上方位置に該柵状部１の上縁に沿って張設される。
【００４７】
本実施例は上述のように構成したから、この本実施例が設けられた対象領域30は有害鳥獣による侵入が防止される。本実施例は特にハクビシンに対する効果がみられた。
【００４８】
また、本実施例は、柵状部１は、支柱部材４と、この支柱部材４を介して立設される板状部材５とで構成されているから、簡易構造である故に、搬送、設置及び撤去などにおいて取り扱い性が極めて良く、しかも、コスト安にして量産性に秀れることになる。
【００４９】
また、本実施例は、支柱部材４には前記板状部材５を連結する第一連結部６が設けられ、この第一連結部６の上方位置に前記線状部２を連結する第二連結部７が設けられているから、この点においても簡易構造である故に設置及び取り外しなど取り扱い性が極めて良く、しかも、コスト安にして量産性に秀れることになる。
【００５０】
また、本実施例は、針部３は、線状部２の所定位置に間隔を介して複数設けられているから、確実に有害鳥獣の侵入を防止することができる。
【００５１】
また、本実施例は、針部３は、線状部２から垂設される垂設部材３ａと、この垂設部材３ａの下側に設けられ、該垂設部材３ａから放射方向に突設する複数の針部材３ｂとで構成されており、この特殊な形状から有害鳥獣への威嚇効果が得られる。
【００５２】
また、本実施例は、柵状部１の高さは８０ｃｍ程度に設定されているから、対象領域30への有害鳥獣の侵入の防止と農作業者などの出入りに支障のない使用に適した構造となる。
【００５３】
また、本実施例は、柵状部１と線状部２との距離Ｓは１５ｃｍ程度に設定されているから、この点においても針部３が見易い位置に配されるから有害鳥獣の侵入の防止に適した構造となる。
【実施例２】
【００５４】
本発明の具体的な実施例について図４，５に基づいて説明する。
【００５５】
本実施例は、支柱部材４に設けられる第一連結部６及び第二連結部７を支柱部材４とは別部材で構成した場合である。尚、本実施例の支柱部材４は下端に先細り部４ａを備えた合成樹脂製の円柱体であるが、金属製でも良い。
【００５６】
具体的には、この第一連結部６及び第二連結部７は、支柱部材４の上端部に被嵌連結される連結本体９に設けられている。
【００５７】
この連結本体９は、図４に図示したように適宜な合成樹脂製の部材で形成した断面Ｃ字状の筒状体であり、支柱部材４に対して弾性により圧着状態に被嵌連結されるように構成されている。
【００５８】
第一連結部６は、図４に図示したように連結本体９の正面部下方位置に一体成形されており、下向きに開口する凹部６ａを有し板状部材５の上方から該板状部材５に被嵌挟持連結するように構成されている。
【００５９】
第二連結部７は、図４に図示したように連結本体９の正面部上方位置に一体成形されており、上向きに開口する凹部７ａを有し線状部２を通して連結するように構成されている。
【００６０】
また、本実施例では、別タイプの針部３を設けており、この針部３は、図４，５に図示したように適宜な合成樹脂製の部材で一体成形しており、垂設部材３ａの上端部に線状部２に着脱自在に連結する連結部材３ｃが設けられている。
【００６１】
この連結部材３ｃは、下向きに開口する凹部３ｃ’を有して線状部２に引っ掛け係止するように構成されており、折り曲げ状に形成される折り返し部３ｃ”を該折り返し部３ｃ”の対向部位の側方へ係止することで、凹部３ｃ’の閉塞状態を保持することができる。
【００６２】
また、この垂設部材３ａの下側には、該垂設部材３ａから放射方向に水平状態で突設する複数（２本）の湾曲状の針部材３ｂが設けられている。この針部材３ｂは同形状に形成され、互いに針先３ｂ’が逆方向を向くように垂設部材３ａに設けられている。
【００６３】
その余は実施例１と同様である。
【００６４】
尚、本発明は、実施例１，２に限られるものではなく、各構成要件の具体的構成は適宜設計し得るものである。
【符号の説明】
【００６５】
Ｓ  距離
１  柵状部
２  線状部
３  針部
３ａ  垂設部材
３ｂ  針部材
３ｂ’  針先
４  支柱部材
５  板状部材
６  第一連結部
７  第二連結部
30  対象領域
【図１】
2016123413.tif 000003
【図２】
2016123413.tif 000004
【図３】
2016123413.tif 000005
【図４】
2016123413.tif 000006
【図５】
2016123413.tif 000007